(57)【要約】      （修正有）【課題】ゴルフクラブのクラブフェイスとゴルフボールのような２つの物体の間の衝突のポイントを好適に表示する技術を提供する。【解決手段】衝突表示器６００は、基層６２０と少なくとも１層のサーモクロミック化合物層６３０を含む。基層６２０は、第１側面６２２と第２側面６２４を含む。第１側面６２２は、第１物体の表面に係合するように構成されている。サーモクロミック化合物層は、基層６２０の第２側面６２４の少なくとも一部に重ねられ、第２物体と第１物体の表面との衝突に関連して少なくとも一つのテンポラリマークを生成する。サーモクロミック化合物層は、衝突の間、第２物体と直接接触する。【選択図】図６
2008289865.tif 000002
【特許請求の範囲】
【請求項１】
第１物体の表面に係合する第１側面と第２側面を有する基層と、
その基層の前記第２側面の少なくとも一部に重ねられ、第２物体と前記第１物体の表面との衝突に対応して少なくとも１つのテンポラリマークを生成するとともに、衝突の間前記第２物体と直接接触する少なくとも一層のサーモクロミック化合物層、
を備える器具。
【請求項２】
前記基層の前記第２側面に重ねられる非サーモクロミック化合物層をさらに備えており、
その非サーモクロミック化合物層は、ロゴマーク、言葉、フレーズ、商標、位置合わせマークの少なくとも一つに対応する少なくとも１つのグラフィック表示を形成する請求項１に記載の器具。
【請求項３】
前記基層の前記第１側面に配置された脱着可能な接着層をさらに備える請求項１に記載の器具。
【請求項４】
前記基層の前記第１側面に配置された脱着可能な接着層に係合する裏地層をさらに備える請求項１に記載の器具。
【請求項５】
前記少なくとも１つのサーモクロミック化合物層は、第１の色に対応する第１サーモクロミック化合物層と第２の色に対応する第２サーモクロミック化合物層を有しており、
前記第１サーモクロミック化合物層は、前記基層の前記第２側面の少なくとも一部に重ねられているとともに少なくとも一つのグラフィック表示と関連付けられており、
前記第２サーモクロミック化合物層は、前記第１サーモクロミック化合物層の少なくとも一部に近接しているとともに衝突の間前記第２物体と直接接触する請求項１に記載の器具。
【請求項６】
前記基層はポリエステルタイプの材料を備える請求項１に記載の器具。
【請求項７】
ゴルフクラブヘッドの複数の溝の少なくとも一つに対応する少なくとも一つのグラフィック表示をさらに備える請求項１の器具。
【請求項８】
前記表面は、ゴルフクラブヘッドのクラブフェイス、ゴルフクラブヘッドのソール、ホッケーのスティックの一部、野球のバットの一部の少なくとも一つである請求項１の器具。
【請求項９】
第１物体の表面に係合するように構成されている第１側面と第２側面を有する基層を準備する工程と、
第２物体と前記第１物体の表面との衝突に対応して少なくとも一つのテンポラリマークを生成するとともに衝突の間前記第２物体と直接接触する少なくとも一層のサーモクロミック化合物層を前記基層の前記第２側面の少なくとも一部に重ねる工程、
を備える方法。
【請求項１０】
ロゴマーク、言葉、フレーズ、商標、位置合わせマークの少なくとも一つに対応する少なくとも１つのグラフィック表示を形成するために前記基層の前記第２側面に非サーモクロミック化合物層を重ねる工程をさらに備えている請求項９に記載の方法。
【請求項１１】
前記少なくとも一層のサーモクロミック化合物層を前記基層の前記第２側面の少なくとも一部に重ねる工程は、前記基層の前記第２側面の一部に第１の色に対応する第１サーモクロミック化合物層を重ねる工程と、前記第１サーモクロミック化合物層の少なくとも一部に近接して第２の色に対応する第２サーモクロミック化合物層を重ねる工程、
を備えており、
前記第１サーモクロミック化合物層は、少なくとも一つのグラフィック表示に対応し、前記第２サーモクロミック化合物層は衝突の間前記第２物体と直接接触する請求項９に記載の方法。
【請求項１２】
前記少なくとも一つのサーモクロミック化合物層を前記基層の第２側面の少なくとも一部に重ねる工程は、前記基層の前記第２側面の少なくとも一部に少なくとも一層のサーモクロミック化合物層をプリントする工程を備えている請求項９に記載の方法。
【請求項１３】
前記基層の前記第１側面に脱着可能な接着層を配置する工程をさらに備える請求項９に記載の方法。
【請求項１４】
前記基層の前記第１側面に配置される脱着可能な接着層に裏地層を配置する工程をさらに備える請求項９に記載の方法。
【請求項１５】
前記基層の前記第１側面に配置されている脱着可能な接着層を前記表面に係合する工程をさらに備える請求項９に記載の方法。
【請求項１６】
前記表面は、ゴルフクラブヘッドのクラブフェイス、ゴルフクラブヘッドのソール、ホッケースティックの一部、野球のバットの一部の少なくとも一つである請求項９の方法。
【請求項１７】
第１側面と第２側面を有する基材と、
ゴルフクラブヘッドのクラブフェイスに係合するために前記第１側面の少なくとも一部に重ねられた感圧接着フィルムと、
ゴルフボールと前記クラブフェイスの衝突を示す少なくとも一つのテンポラリマークを生成するために前記第２側面の少なくとも一部に重ねられたサーモクロミックインクフィルム、
を備える衝突表示器。
【請求項１８】
前記クラブフェイスは、ドライバータイプのゴルフクラブ、フェアウェイウッドタイプのゴルフクラブ、ハイブリッドタイプのゴルフクラブ、アイアンタイプのゴルフクラブ、パターの少なくとも一つに対応するクラブフェイスを備える請求項１７の衝突表示器。
【請求項１９】
前記サーモクロミックインクフィルムは、灰色がかった色に関連するサーモクロミックインクフィルムを備えており、前記テンポラリマークの少なくとも一部は、白色がかった色と関連するテンポラリマークを備える請求項１７の衝突表示器。
【請求項２０】
衝突ラベルは、約２．９インチ（７３．６６ミリメートル）の長さと、１．４インチ（３５．５６ミリメートル）の幅を有する請求項１７の衝突表示器。
【発明の詳細な説明】
【技術分野】
【０００１】
本明細書は、概してゴルフ用具に関し、より詳細には、物体の衝突を表示する方法及び装置に関して開示する。
【背景技術】
【０００２】
ゴルフでは、個人の能力は、個々のゴルフスイングを様々な観点から観察し、分析することによって改善され得る。特に、ゴルフボールのクラブフェイスへのインパクトのポイントを確定するために、スイング後にゴルフクラブヘッドのクラブフェイスを観察し、分析してもよい。クラブフェイスの最適な位置でゴルフボールを打つことによって、個人は、ゴルフボールの距離と精度を最大限に発揮させ得る。クラブフェイスに付いたゴルフボールの跡、芝のしみ及び／又はよごれは、ゴルフボールのクラブフェイスへのインパクトのポイントを示す。あるいは、ゴルフボールのクラブフェイスへのインパクトポイントを確定するために、クラブフェイスに貼り付けられた衝突表示器を使用される。
【発明の開示】
【発明が解決しようとする課題】
【０００３】
本明細書は、ゴルフクラブのクラブフェイスとゴルフボールのような２つの物体の間の衝突のポイントを好適に表示する技術を提供する。
【課題を解決するための手段】
【０００４】
本明細書は器具を教示する。この器具は、基層と少なくとも一層のサーモクロミック化合物層を含む。基層は、第１側面と第２側面を含む。第１側面は、第１物体の表面に係合する。サーモクロミック化合物層は、基層の第２側面の少なくとも一部に重ねられ、第２物体と第１物体の表面との衝突に対応して少なくとも１つのテンポラリマークを生成する。サーモクロミック化合物層は、衝突の間、第２物体と直接接触する。
【実施例】
【０００５】
ここでは、概して、物体の衝突を表示するための方法、装置、及び製品について説明されている。ここで説明される方法、装置及び製品は、この点に限定されない。
【０００６】
図１から図４の例では、衝突表示器１００は、衝突表面１１０を含んでいる。詳細には、衝突表面１１０は、衝突表示器１００に一つ以上の物体が衝突することに応じて一つ以上のテンポラリマークを生じる（例えばゴルフボールの跡）。各テンポラリマークは、物体による衝突表面１１０への衝突の領域に関連する。
【０００７】
衝突表示器１００は、例えば、ゴルフのフィッティング、教授用、教育用及び／又は他の適当な目的等、様々な方法で利用される。一例では、ゴルフクラブ（例えば、ドライバータイプのクラブ、フェアウェイウッドタイプのクラブ、アイアンタイプのクラブ、ハイブリッドタイプのクラブ、パター等）のクラブヘッドに貼り付けられる。詳細には、衝突表示器１００は、クラブヘッドのクラブフェイス（図示せず）（２．９インチ×１．４インチ（７３．６６ｍｍ×３５．５６ｍｍ）の面積）の一部に配置される。あるいは、衝突表示器１００は、クラブフェイスの表面領域全体を覆う。衝突表面１１０は、物体の衝突に応じて、概して、それぞれ図２，３，４の符号２１０，３１０，４１０，４２０，４３０，４４０及び４５０で示される一つ以上のテンポラリマークを生じる。以下に詳述するように、衝突表面１１０の各テンポラリマークは、ゴルフボールがクラブフェイスに衝突する領域に関し、ゴルフボールの一部（例えば、一つ以上のディンプルの跡）を表示する。
【０００８】
一例では、衝突表示器１００に関するライフサイクルは、図２，３，４のそれぞれに示されるｔ０、ｔ１、ｔ２及びｔ３（例えば、ｔ０＜ｔ１＜ｔ２＜ｔ３）に関連して述べられている。最初に時間ｔ０では、衝突表示器１００は、図１に示されるように、クラブフェイスに貼り付けられ、使用する準備がされている（即ち、衝突表面１１０にはテンポラリマークはない）。例えば、衝突表面１１０は、灰色がかった色である。
【０００９】
ゴルフボールの最初の衝突に対応する時間ｔ１では、図２に示すように、衝突表示器１００には、（衝突表面１１０を介して）テンポラリマーク２１０が生じる。一例では、テンポラリマーク２１０は、白色がかった色である。上記したように、衝突表面１１０のテンポラリマーク２１０は、ゴルフボールがクラブフェイスに衝突する領域に対応する。例えば、テンポラリマーク２１０は、ゴルフボールの一部（例えば、一つ以上のディンプルの跡）を表示する。
【００１０】
図２のテンポラリマーク２１０は、時間ｔ１の後に薄くなり始め、時間ｔ２までに図３のテンポラリマーク３１０になる。図３のテンポラリマーク３１０は、時間ｔ２後に薄くなり始め、時間ｔ３までに図４のテンポラリマーク４１０になる。したがって、時間ｔ３での図４のテンポラリマーク４１０は、時間ｔ２での図３のテンポラリマーク３１０や時間ｔ１での図２のテンポラリマーク２１０よりもより薄くなっている。テンポラリマークは、時間とともに消えていく。
【００１１】
テンポラリマーク４１０が時間ｔ３までに相当に薄くなると、衝突表示器１００は、次のゴルフボールの衝突を表示するために再利用される。例えば、衝突表示器１００には、他のテンポラリマーク（図４に、概して符号４２０，４３０，４４０，４５０で示される）が生じる。各テンポラリマークは、時間ｔ１における最初のゴルフボールとの衝突の後のゴルフボールとの衝突に対応する。衝突表示器１００には、時間ｔ２後であって時間ｔ３より前にテンポラリマーク４２０，４３０，４４０，４５０が生じたものとする。
【００１２】
各テンポラリマーク４２０，４３０，４４０，４５０は、互いに区別され得る。衝突表面１１０の実質的に近接した領域内で、物体と２回以上の衝突が発生しても、対応するテンポラリマークは、互いに区別可能である。具体的には、衝突表面１１０上で、比較的に薄くなっていないマークが、比較的により最近のゴルフボールとの衝突を表している。一例では、テンポラリマーク４５０は、他のテンポラリマーク４１０，４２０，４３０，４４０よりも比較的に薄くなっていないので、テンポラリマーク４５０は、他のテンポラリマーク４１０，４２０，４３０，４４０よりもより最近のものである。
【００１３】
衝突表面に加えて、衝突表示器１００は、概して符号１４０で示される１つ以上のグラフィック表示を含んでいてもよい。例えば、グラフィック表示１４０は、位置合わせマーク、ロゴマーク、商標、及び／又は他の適当なマークであってもよい。具体的には、位置合わせマークは、ゴルフクラブヘッドのクラブフェイスにある複数の溝に合わせて使用されてもよい。グラフィック表示１４０は、衝突表示器１００のあらゆる領域（例えば、衝突表示器１００の側部、上方、底、中央、右上方の角、右下方の角、左上方の角、及び／又は左下方の角等）に位置することができる。一例では、位置合わせマークが、衝突表示器１００の左及び／又は右側部に位置している。
【００１４】
図１から図４では、衝突表面１１０は灰色がかった色で示されているが、衝突表面１１０は、他の適当な色（例えば、黒、青、緑、赤、オレンジ、黄色、茶色等）及び／又は、それらの組み合わせであってもよい。上記した例では、ゴルフクラブヘッドのクラブフェイスについて説明されているが、衝突表示器１００は、ゴルフクラブの他の位置に付けられてもよい。一例では、衝突表示器１００は、ゴルフクラブヘッドのソールに付けられて、衝突表面１１０のテンポラリマークがソールと地面との衝突の領域に対応する。さらに、上記した例では、ゴルフに関して説明されているが、ここで説明された方法、装置、及び製品は、他のスポーツに適用することができる。例えば、衝突表示器１００は、ホッケーのスティック、野球のバット、テニスラケット、的等に付けられてもよい。ここで説明された方法、装置、製品は、この点に限定されない。
【００１５】
図５を参照すると、例えば、衝突表示器５００は、基層５２０とサーモクロミック化合物層５３０を含んでいる。基層５２０は、物体（例えばゴルフボール）との複数回の衝突に耐える耐久性のある材料で作製される。これにより、衝突表示器５００は、複数回のフィッティングや練習会に使用し得る。例えば、基層５２０は、ポリエステルタイプの材料、及び／又はその他の適当なタイプの材料等のフィルムタイプの材料であってもよい。さらに、基層５２０は、様々な色（例えば、白、黒、青、緑、赤、オレンジ、黄色、茶色等、及び／又はそれらの組み合わせ）であってもよい。基層５２０は、第１側面５２２と第２側面５２４を含んでいる。以下に詳述するように、第１側面５２２は、表面と係合する。一例では、基層５２０の第１側面５２２は、ゴルフクラブヘッドのクラブフェイス（図示せず）と係合する。
【００１６】
サーモクロミック化合物層５３０は、基層５２０第２側面５２４に重なっている。具体的には、サーモクロミック化合物層５３０は、基層５２０第２側面５２４の一部又は全表面領域に重なっている。サーモクロミック化合物層５３０は、物体との衝突に対応して、１つ以上のテンポラリマークを生む。サーモクロミック化合物層５３０は、衝突表示器５００に物体が衝突している間、その物体と直接接触する。結果として、サーモクロミック化合物層５３０は、衝突標記５００の衝突表面５１０として機能する。
【００１７】
サーモクロミック化合物層５３０は、再使用可能な温度感知性の層である。概して、サーモクロミック化合物層５３０では、第１の色を形成するドナーと受容体が一緒に封入されている。例えば、サーモクロミック化合物層５３０は、周囲温度等の基準温度（基準状態）で、灰色がかった色（例えば図１参照）である。サーモクロミック化合物層５３０は、電子ドナー、電子受容体及び減感剤を含んでいる。具体的には、ドナー、受容体及び減感剤は、同一のカプセル媒体内に一緒に封入されている。一例では、基準温度以下（即ち、周囲温度以下）では、減感剤は固体状態であり、ドナーと受容体が組み合わさって、有色色素（例えば、灰色がかった色）が形成される。温度が基準温度より高くなる（即ち、周囲温度より高くなる）と、減感剤は溶解して、有色色素を無色（即ち透明）のドナーと受容体に分解する。
【００１８】
上記したように、温度が上昇すると、サーモクロミック化合物層５３０のドナーと受容体が同一のカプセル媒体内で分解することによって、衝突表示器５００の色が変化する（即ち、サーモクロミック化合物層５３０の一部又はそれ以上の部分が透明になる）。クラブフェイスにゴルフボールが衝突する際のエネルギーの一部によって、衝突表面５１０にテンポラリマーク（即ち、図２に示す白又は白色がかった色のマーク）が生じる。衝突表示器５００のテンポラリマークは、基層５２０の色に基づいて変わる。一例では、サーモクロミック化合物層５３０の一部又はそれ以上の部分が透明になるため、基層５２０が白又は白色がかった色であれば、テンポラリマークは、白又は白色がかった色となる。
【００１９】
破裂して色落ちしないマークが生じる染色カプセル（即ち、ドナーと受容体が別々に封入されている）を有する衝突感応式記録媒体と違って、サーモクロミック化合物層５３０の電子ドナーと電子受容体は、有色色素を形成するために、予め一体となっている。温度の上昇に反応して、サーモクロミック化合物層５３０の減感剤がドナーと受容体を互いに分解するため、ドナーと受容体は無色となる（即ち、サーモクロミック化合物層５３０の一部又はそれ以上の部分が透明になる）。サーモクロミック化合物層５３０のドナーと受容体は、衝突表面５１０の温度が低下し、ほぼ基準温度に戻ると、有色色素を形成するように再び一体となる（即ち、図３、４にそれぞれに示されるテンポラリマーク３１０、４１０）。この結果、サーモクロミック化合物層５３０がほぼ基準状態に戻った後、衝突表示器５００は再使用することができる。ここで説明した方法、装置及び製品は、この点に限定されない。
【００２０】
図１に示すとともに上記したように、衝突表示器１００は、位置合わせマーク、ロゴマーク、フレーズ、商標及び／又は適当なマーク等の１つ以上のグラフィック表示１４０を含んでいてもよい。図６に戻ると、例えば、衝突表示器６００は、基層６２０、第１サーモクロミック化合物層６３０と第２サーモクロミック化合物層６４０を含んでいる。基層６２０は、第１側面６２２と第２側面６２４を含んでいる。第１サーモクロミック化合物層６３０は、第１の色（例えば灰色がかった色）を有しており、第２サーモクロミック化合物層６４０は、第２の色（例えば青色）を有している。あるいは、第１サーモクロミック化合物層６３０と第２サーモクロミック化合物層６４０は、同じ色（例えば黒色）であるが、コントラストを変えることによって、第１サーモクロミック化合物層６３０と第２サーモクロミック化合物層６４０が互いに区別できるようにしてもよい。第１サーモクロミック化合物層６３０と第２サーモクロミック化合物層６４０は、第２側面６２４の一部又は全表面領域に重なっている。具体的には、第１サーモクロミック化合物層６３０が基層６２０の第２側面６２４に重なっており、第１サーモクロミック化合物層６３０が、ゴルフボールがゴルフクラブヘッドのクラブフェイスに衝突した時に、ゴルフボールと直接接触する。結果として、第１サーモクロミック化合物層６３０は、衝突表示器６００の衝突表面６１０として機能する。
【００２１】
第２サーモクロミック化合物層６４０は、ロゴマーク、言葉、フレーズ、商標、位置合わせマーク及び／又は他の適当なマーク等の１つ以上のグラフィック表示に関連している。第２サーモクロミック化合物層６４０は、基層６２０の第２側面６２４に重なっており、グラフィック表示が明らかとなる。一例では、第１サーモクロミック化合物層６３０と第２サーモクロミック化合物層６４０は、互いに近接している。具体的には、第１サーモクロミック化合物層６３０と第２サーモクロミック化合物層６４０は、基層６２０の第２側面６２４の一部又はそれ以上の部分に重なっているが、互いには重なっていない。その結果、ゴルフボールがゴルフクラブヘッドのクラブフェイスに衝突した時に、第１サーモクロミック化合物層６３０と第２サーモクロミック化合物層６４０の両者が、ゴルフボールと直接接触する。結果として、第１サーモクロミック化合物層６３０と第２サーモクロミック化合物層６４０は、衝突表示器６００の衝突表面６１０として機能する。ここで説明した方法、装置及び製品は、この点に限定されない。
【００２２】
図７の例では、衝突表示器７００は、基層７２０と、第１サーモクロミック化合物層７３０と、第２サーモクロミック化合物層７４０を含んでいる。基層７２０は、第１側面７２２と第２側面７２４を含んでいる。第１サーモクロミック化合物層７３０と第２サーモクロミック化合物層７４０は、基層７２０の第２側面７２４の一部又はそれ以上の部分に配置される。さらに、第１サーモクロミック化合物層７３０は、第２サーモクロミック化合物層７４０上に配置される。
【００２３】
第１サーモクロミック化合物層７３０は、概して符号７３２，７３４，７３６，７３８で示される第１の厚み（ｘ１）を有する複数の第１部分を含んでいる。第１サーモクロミック化合物層７３０は、また、概して符号７５０，７５２，７５４，７５６，７５８で示される第２の厚み（ｘ２）を有する複数の第２部分も含んでいる。複数の第１部分７３２，７３４，７３６，７３８は、第２サーモクロミック化合物層７４０上に配置される。複数の第２部分７５０，７５２，７５４，７５６，７５８は、基層７２０第２側面７２４上に配置される。したがって、第２サーモクロミック化合物層７４０は、ｘ２−ｘ１の厚みを有する。例えば、第１の厚み（ｘ１）が第２の厚み（ｘ２）よりも比較的に薄いと、第２サーモクロミック化合物層７４０のグラフィック表示は、明らかであってもよいし、明らかでなくてもよい。第１サーモクロミック化合物層７３０は、ゴルフボールがゴルフクラブヘッドのクラブフェイスに衝突した時に、ゴルフボールと直接接触する。結果として、第１サーモクロミック化合物層７３０は、衝突表示器７００の衝突表面７１０として機能する。ここで説明した方法、装置及び製品は、この点に限定されない。
【００２４】
図８を参照すると、例えば、衝突表示器８００は、基層８２０と、第１サーモクロミック化合物層８３０と、第２サーモクロミック化合物層８４０を含んでいる。基層８２０は、第１側面８２２と第２側面８２４を含んでいる。第１サーモクロミック化合物層８３０と第２サーモクロミック化合物層８４０は、基層８２０の第２側面８２４の一部又はそれ以上の部分に配置される。具体的には、第１サーモクロミック化合物層８３０は、概して符号８３２，８３４，８３６，８３８で示される第１の厚み（ｘ１）を有する複数の第１部分を含んでいる。第１サーモクロミック化合物層８３０は、また、概して符号８５０，８５２，８５４，８５６，８５８で示される第２の厚み（ｘ２）を有する複数の第２部分も含んでいる。複数の第１部分８３２，８３４，８３６，８３８は、第２サーモクロミック化合物層８４０上に直接配置される。複数の第２部分８５０，８５２，８５４，８５６，８５８は、基層８２０第２側面８２４上に配置される。
【００２５】
図７の衝突表示器７００と異なり、第１サーモクロミック化合物層８３０は、同様の態様で、第２サーモクロミック化合物層８４０上と基層８２０の第２側面８２４の一部又はそれ以上の部分の上に配置される。したがって、第１の厚み（ｘ１）は、第２の厚み（ｘ２）と等しいかほぼ等しい。第１サーモクロミック化合物層８３０は、ゴルフボールがゴルフクラブヘッドのクラブフェイスに衝突した時に、ゴルフボールと直接接触する。結果として、第１サーモクロミック化合物層８３０（即ち、部分８３２，８３４，８３６，８３８，８５０，８５２，８５４，８５６，８５８）は、衝突表示器８００の衝突表面８１０として機能する。ここで説明した方法、装置及び製品は、この点に限定されない。
【００２６】
図９に示されるように、例えば、衝突表示器９００は、基層９２０と、第１サーモクロミック化合物層９３０と、第２サーモクロミック化合物層９４０を含んでいる。基層９２０は、第１側面９２２と第２側面９２４を含んでいる。第１サーモクロミック化合物層９３０は、基層９２０の第２側面９２４の一部又はそれ以上の部分に配置される。第２サーモクロミック化合物層９４０は、第１サーモクロミック化合物層９３０の一部又はそれ以上の部分に配置されるため、第２サーモクロミック化合物層９４０の１つ以上のグラフィック表示は、明らかとなる。さらに、第１サーモクロミック化合物層９３０と第２サーモクロミック化合物層９４０の各々の一部又はそれ以上の部分は、ゴルフボールがゴルフクラブヘッドのクラブフェイスに衝突した時に、ゴルフボールと直接接触する。したがって、第１サーモクロミック化合物層９３０と第２サーモクロミック化合物層９４０は、衝突表示器９００の衝突表面９１０として機能する。ここで説明した方法、装置及び製品は、この点に限定されない。
【００２７】
上記の例では、サーモクロミック化合物層（即ち、それぞれ図７，８，９の６３０，６４０，７３０，７４０，８３０，８４０，９３０，９４０）に関して説明されているが、第１又は第２サーモクロミック化合物層６３０，６４０，７３０，７４０，８３０，８４０，９３０，９４０のいずれかが、１つ以上のグラフィック表示（例えば、位置合わせマーク、ロゴマーク、フレーズ、商標等）をもたらす非サーモクロミック化合物層に置き換えられてもよい。図５，６，７，８，９には、衝突表示器５００，６００，７００，８００，９００を構成する層の各層の特定の大きさや厚みが示されているが、大きさや厚みは変えてもよい。ここで説明した方法、装置及び製品は、この点に限定されない。
【００２８】
上記したように、衝突表示器１００は、様々な方法で表面（例えばゴルフクラブヘッドのクラブフェイス）と係合する。例えば、衝突表示器１００は、テープ及び／又は適当な接着材料でクラブフェイスに貼り付けられてもよい。図１０の一例では、衝突表示器１０００は、基層１０２０とサーモクロミック化合物層１０３０と接着層１０６０を含んでいる。基層１０２０は、第１側面１０２２と第２側面１０２４を含んでいる。一例では、サーモクロミック化合物層１０３０は、基層１０２０の第２側面１０２４の一部又はそれ以上の部分に配置される。他の例では、サーモクロミック化合物層１０３０は、基層１０２０の第２側面１０２４の表面領域全体を覆っていてもよい。
【００２９】
接着層１０６０は、基層１０２０の第１側面１０２２の一部又はそれ以上の部分に配置される。あるいは、接着層１０６０は、基層１０２０の第１側面１０２２の表面領域全体を覆っていてもよい。接着層１０６０は、クラブフェイス（図示せず）に衝突表示器１０００を貼り付けるための感圧接着剤を含んでいる。衝突表示器１０００は、クラブフェイスから剥がして、他のクラブフェイスに接着するために、脱着可能となっている。さらに、衝突表示器１０００をクラブフェイス上で様々な方向（例えば、上、下、左、右等）に調整するため、衝突表示器１０００は、再配置することが可能となっている。ここで説明した方法、装置及び製品は、この点に限定されない。
【００３０】
使用前に衝突表示器１００の接着層（即ち図１０の接着層１０６０）を保護するために、衝突表示器１００は、剥がすことができる裏地を含んでいてもよい。図１１を参照すると、例えば、衝突表示器１１００は、基層１１２０とサーモクロミック化合物層１１３０と接着層１１６０と裏地層１１７０を含んでいる。基層１１２０は、第１側面１１２２と第２側面１１２４を含んでいる。サーモクロミック化合物層１１３０は、基層１０２０の第２側面１０２４の一部又はそれ以上の部分に配置される。
【００３１】
接着層１１６０は、第１側面１１６２と第２側面１１６４を含んでいる。接着層１１６０は、（第２側面１１６４を介して）基層１１２０の第１側面１１２２の一部又はそれ以上の部分に直接配置されている。裏地層１１７０（背面材料）は、接着層１１６０の第１側面１１６２の一部又は以上の部分に配置されている。例えば、裏地層１１７０は、シリコンコーティング紙及び／又は他の適当な材料である。裏地層１１７０は、衝突表示器１１００が意図しない表面に張り付くことを防止している。これにより、裏地層１１７０は、衝突表示器１１００が使用されるまで、接着層１１６０を覆う及び／又は保護する。ここで説明した方法、装置及び製品は、この点に限定されない。
【００３２】
図１２には、衝突表示器１３００の製造方法が示されている。図１２の例では、工程１２００は、第１側面１３２２と第２側面１３２４を有する基層１３２０を準備することから開始される（ブロック１２１０）。工程１２００では、基層１３２０の第２側面１３２４上に非サーモクロミック化合物層１３４０を配置する（ブロック１２２０）。具体的には、非サーモクロミック化合物層１３４０は、例えば、位置合わせマーク、ロゴマーク、言葉、フレーズ、商標及び／又は他の適当なマーク等の１つ以上のグラフィック表示を有していてもよい。
【００３３】
工程１２００では、続けて、基層１３２０の第２側面１３２４上にサーモクロミック化合物層１３３０を重ねる（ブロック１２３０）。具体的には、サーモクロミック化合物層１３３０は、一様な方法で、基層１３２０の第２側面１３２４上に塗布される。例えば、サーモクロミック化合物層１３３０は、基層１３２０の第２側面１３２４上にプリントされる。サーモクロミック化合物層１３３０は、概して符号１３５０，１３５２，１３５４，１３５６，１３５８に示されるように、第２側面１３２４の一部又はそれ以上の部分に配置される。第２側面１３２４の一部又はそれ以上の部分に配置された非サーモクロミック化合物層１３４０には、サーモクロミック化合物層１３３０が、概して符号１３３２，１３３４，１３３６，１３３８で示すように、非サーモクロミック化合物層１３４０の一部又はそれ以上の部分に配置される。部分１３５０，１３５２，１３５４，１３５６，１３５８の厚みは、部分１３３２，１３３４，１３３６，１３３８の厚みと同一か略同一である。サーモクロミック化合物層１３３０は、衝突表示器１３００と関連して、ゴルフボールがゴルフクラブヘッドのクラブフェイスに衝突した時に、ゴルフボールと直接接触する。したがって、第１サーモクロミック化合物層１３３０は、衝突表示器１３００の衝突表面１３１０として機能する。
【００３４】
衝突表示器１３００をゴルフクラブヘッドのクラブフェイスや他の適当な表面に貼り付けるために、衝突表示器１３００は、第１側面１３６２と第２側面１３６４を有する接着層１３６０を含んでいる。そのため、工程１２００では、基層１３２０の第１側面１３２２に接着層１３６０を配置する（ブロック１２４０）。一例では、接着層１３６０は、感圧接着剤又は他の適当な接着剤である。
【００３５】
接着層１３６０を覆って、意図しない表面に接着層１３６０が張り付くことから保護するために、工程１２００では、裏地層１３７０を含んでいる。具体的には、工程１２００では、接着層１３６０の第１側面１３６２上に裏地層１３７０を配置する（ブロック１２５０）。
【００３６】
さらに、工程１２００では、衝突表示器１３００を特定の形状に形成するために、衝突表示器１３００を打ち抜く（ブロック１２６０）。一例では、工程１２００では、衝突表示器１３００をゴルフクラブヘッドのクラブフェイスに対応する形状（即ち、図１の衝突表示器１００の形状）に打ち抜く。衝突表示器１３００の形状に基づいて、工程１２００では、裏地層１３７０から余分な材料を取り除く（ブロック１２７０）。具体的には、裏地層１３７０の余分な材料の空洞部は、衝突表示器１３００の形状に形成される（即ち、余分な材料は、衝突表示器１３００の形状の逆又は反対に形成される）。ここで説明した方法、装置及び製品は、この点に限定されない。
【００３７】
図１２の工程１２００の例は、単に、衝突表示器の製造の一つの方法として、図１３の衝突表示器１３００と合わせて、提供され、説明されている。工程１２００では、非サーモクロミック化合物層が上記して説明されているが、工程１２００では、非サーモクロミック化合物層１３４０の代わりに、基層１３２０の第２側面１３２４上にグラフィック表示に対応するサーモクロミック化合物層を配置してもよい。結果として、衝突表示器１３００は、２層のサーモクロミック化合物層を含んでいてもよい。工程１２００は、ゴルフクラブヘッドのクラブフェイスに関して上記で説明されているが、工程１２００は、他の適当なスポーツ用具又は表面に適用可能である。さらに、図１２では、特定の数のブロックが図示されているが、工程１２００では、１つ以上のブロックを行わなくてもよい。一例では、衝突表示器１３００は、表面にテープや接着剤によって貼り付けられてもよい。結果として、工程１２００のブロック１２４０，１２５０が不要である。他の例では、工程１２００のブロック１２６０，１２７０が不要である。加えて、図１２では、工程が特定の順番で示されているが、これらの工程は、他の時系列で行ってもよい。例えば、図１２に示されている２以上の工程を、連続して、同時に、又は一斉に行ってもよい。一例では、ブロック１２６０と１２７０は、同時に又は一斉に行ってもよい。ここで説明した方法、装置及び製品は、この点に限定されない。
【００３８】
上記した例では、ゴルフクラブフェイスに関して説明されているが、ここで説明した方法、装置及び製品は、他の適当な用具又は表面に適用可能である。例えば、衝突表示器１００は、ゴルフクラブヘッドのソール、ホッケーのスティックの一部、野球のバットの一部、ラケットの一部等に貼り付けられてもよい。
【００３９】
ここでは、いくつかの例の方法、装置及び／又は製品が説明されているが、この開示の対象の範囲は、これらに限定されない。逆に、この開示は、文字通り、あるいは、均等の原則に従って、添付した特許請求の範囲の範囲に完全に含まれる全ての方法、装置及び／又は製品を対象とする。
【図面の簡単な説明】
【００４０】
【図１】ここで説明される方法、装置及び製品の実施例に準ずる衝突表示器の例を説明する斜視図である。
【図２】図１の衝突表示器の例を説明する他の斜視図を示す。
【図３】図１の衝突表示器の例を説明する他の斜視図を示す。
【図４】図１の衝突表示器の例を説明する他の斜視図を示す。
【図５】衝突表示器の例の断面図を示す。
【図６】衝突表示器の他の例の断面図を示す。
【図７】衝突表示器の他の例の断面図を示す。
【図８】衝突表示器の他の例の断面図を示す。
【図９】衝突表示器の他の例の断面図を示す。
【図１０】衝突表示器の他の例の断面図を示す。
【図１１】衝突表示器の他の例の断面図を示す。
【図１２】図１３の衝突表示器の例を製造する１つの方法を説明するフロー図である。
【図１３】衝突表示器の他の例の断面図を示す。
【図５】
2008289865.tif 000003
【図６】
2008289865.tif 000004
【図７】
2008289865.tif 000005
【図８】
2008289865.tif 000006
【図９】
2008289865.tif 000007
【図１０】
2008289865.tif 000008
【図１１】
2008289865.tif 000009
【図１２】
2008289865.tif 000010
【図１３】
2008289865.tif 000011
【図１】
2008289865.tif 000012
【図２】
2008289865.tif 000013
【図３】
2008289865.tif 000014
【図４】
2008289865.tif 000015
【外国語明細書】
2008289865000001.pdf
2008289865000002.pdf
2008289865000003.pdf
2008289865000004.pdf